(57)【特許請求の範囲】
【請求項１】
ケーシング内に構成される吸込口と吹出口とを結ぶ空気通路を、仕切板により熱交換器室と送風機室とに区画し、前記熱交換器室に熱交換器を設け、前記送風機室を構成する前記ケーシングおよび、または前記仕切板に、取付具によってモータ取付台に取り付けられたファンモータを取り付けるとともに、同ファンモータの両側にファンケーシングを配置し、同ファンケーシング内に前記ファンモータで駆動される送風ファンを収容してなる空気調和機において、
前記モータ取付台は、前記ファンモータの両側に設けられた緩衝部材の一部を収容する略凹状の収容部を形成するとともに、同収容部の両側先端部に係合爪を設ける一方、前記取付具は、第一取付具および第二取付具に二分割されて前記係合爪に係合する係合孔を備え、前記収容部から突出した前記緩衝部材に対応して帯状に形成され、前端部に、同前端部を開閉自在に固定する仮固定手段および取付手段を設け、後部に、前記緩衝部材を当接し押圧することにより前記係合孔部を中心に回動して前端部を開くようにした押圧片を折曲形成するとともに、前記ファンモータの挿脱時に前記仮固定手段および取付手段を解放した際、前記係合孔部を中心に回動して前端部を開く回動手段を設けてなり、
前記モータ取付台に前記ファンモータを取り付ける際、同ファンモータを前端部が開いた前記第一取付具および前記第二取付具の間に挿入し、前記緩衝部材により前記押圧片を押圧し前記係合孔部を中心に回動して前端部を閉じ、該前端部を前記仮固定手段で仮固定したのちに前記固定手段で取り付けるようにし、
前記モータ取付台から前記ファンモータを取り外す際、前記固定手段を解放したのちに前記仮固定手段を解放し、前記回動手段により前記第一取付具および前記第二取付具を前記係合孔部を中心に回動し前端部を開いて取り外すようにしたことを特徴とする空気調和機。
【請求項２】
前記第一取付具および前記第二取付具の一側に、前記係合孔に連なるスリットを形成したことを特徴とする請求項１に記載の空気調和機。
【請求項３】
前記第一取付具および前記第二取付具が、弾性を有する部材からなることを特徴とする請求項１または請求項２に記載の空気調和機。
【請求項４】
前記仮固定手段が、前記第一取付具または前記第二取付具の前端部に付設され、これら第一取付具および第二取付具よりも軟らかい部材で形成された仮固定片からなり、前記第一取付具および前記第二取付具を相互に仮固定する際、前記仮固定片を折り曲げて前記第二取付具または前記第一取付具の前端部を仮固定するようにしたことを特徴とする請求項１または請求項３に記載の空気調和機。
【請求項５】
前記固定手段が、前記第一取付具および前記第二取付具の前端部に設けられた貫通孔と、同貫通孔を貫通するボルトおよびこれに螺着するナットとからなることを特徴とする請求項１または請求項４に記載の空気調和機。
【請求項６】
前記回動手段が、前記第一取付具の後部に折曲形成された前記押圧片の後端部に付設された第一ウエイトと、前記第二取付具の前端部に付設された第二ウエイトとからなり、前記モータ取付台から前記ファンモータを取り外す際、前記固定手段を解放したのちに前記仮固定手段を解放することによって、前記第一ウエイトの質量により前記第一取付具を前記係合孔部を中心に自動的に回動すると同時に、前記第二ウエイトの質量により前記第二取付具を前記係合孔部を中心に自動的に回動するようにしたことを特徴とする請求項１、請求項４または請求項５に記載の空気調和機。
【請求項７】
前記係合爪の近傍と前記係合孔の近傍とに、前記第一取付具および前記第二取付具が回動した際、これらの前端部が開いた位置で位置決めする位置決め手段を設けたことを特徴とする請求項１または請求項６に記載の空気調和機。
【請求項８】
前記位置決め手段が、前記係合爪の基端部に形成された平坦部と、同平坦部に対応する前記係合孔の周縁部とからなり、これら周縁部および平坦部を当接させて、前記第一取付具および前記第二取付具の前端部が開いた位置で位置決めするようにしたことを特徴とする請求項７に記載の空気調和機。
【発明の詳細な説明】
【０００１】
【発明の属する技術分野】
本発明は、天井吊下げ型の空気調和機に係わり、より詳細には、モータ取付台に取付具により取り付けられたファンモータを、容易に、且つ安全に取り外しまたは取り付けできるようにした構造に関する。
【０００２】
【従来の技術】
従来の天井吊下げ型の空気調和機は、例えば図１（Ａ）および図５で示すように、ケーシング１内に構成される吸込口と吹出口とを結ぶ空気通路を、仕切板1aにより熱交換器室と送風機室とに区画し、前記熱交換器室に熱交換器を設け、前記送風機室を構成する前記ケーシング１および、または前記仕切板1aに、取付部6bにより、取付具7'でモータ取付台６に取り付けられたファンモータ５を取り付けるとともに、同ファンモータ５の両側にファンケーシングｂを配置し、同ファンケーシングｂ内に前記ファンモータ５で駆動される送風ファンａを収容してなる構成であった。
【０００３】
前記ファンモータ５は、その両側に設けられた緩衝部材5aの溝部5bの一部を、前記モータ取付台６に形成された略凹状の収容部6cに収容するとともに、同収容部6cの両側先端部に設けられた係合爪6aに基端部の係合孔7'a を係合した対をなす取付具7'により、同両取付具7'の前端部をボルト11およびナット12により締結して前記モータ取付台６に取り付けられる構成となっていた。
【０００４】
しかしながら、例えばメンテナンスの作業時に、前記ファンモータ５を取り外したり、または、取り付けたりする際、前記ボルト11および前記ナット12を緩めることによって、前記係合爪6aから前記係合孔7'a が離脱してしまい、前記ファンモータ５が落下してしまうという危険が伴ったり、または、該ファンモータ５を上方に押し上げた状態のままで前記係合爪6aに前記係合孔7'a を係合し、前記ボルト11および前記ナット12を締め付けるという作業となるため、作業性が悪いという問題を有していた。
【０００５】
【発明が解決しようとする課題】
本発明においては、前記問題点に鑑み、モータ取付台に取付具により取り付けられたファンモータを、容易に、且つ安全に取り外しまたは取り付けできるようにした天井吊下げ型の空気調和機を提供することを目的とする。
【０００６】
【課題を解決するための手段】
本発明は、上記の課題を解決するため、ケーシング内に構成される吸込口と吹出口とを結ぶ空気通路を、仕切板により熱交換器室と送風機室とに区画し、前記熱交換器室に熱交換器を設け、前記送風機室を構成する前記ケーシングおよび、または前記仕切板に、取付具によってモータ取付台に取り付けられたファンモータを取り付けるとともに、同ファンモータの両側にファンケーシングを配置し、同ファンケーシング内に前記ファンモータで駆動される送風ファンを収容してなる空気調和機において、
前記モータ取付台は、前記ファンモータの両側に設けられた緩衝部材の一部を収容する略凹状の収容部を形成するとともに、同収容部の両側先端部に係合爪を設ける一方、前記取付具は、第一取付具および第二取付具に二分割されて前記係合爪に係合する係合孔を備え、前記収容部から突出した前記緩衝部材に対応して帯状に形成され、前端部に、同前端部を開閉自在に固定する仮固定手段および取付手段を設け、後部に、前記緩衝部材を当接し押圧することにより前記係合孔部を中心に回動して前端部を開くようにした押圧片を折曲形成するとともに、前記ファンモータの挿脱時に前記仮固定手段および取付手段を解放した際、前記係合孔部を中心に回動して前端部を開く回動手段を設けてなり、
前記モータ取付台に前記ファンモータを取り付ける際、同ファンモータを前端部が開いた前記第一取付具および前記第二取付具の間に挿入し、前記緩衝部材により前記押圧片を押圧し前記係合孔部を中心に回動して前端部を閉じ、該前端部を前記仮固定手段で仮固定したのちに前記固定手段で取り付けるようにし、
前記モータ取付台から前記ファンモータを取り外す際、前記固定手段を解放したのちに前記仮固定手段を解放し、前記回動手段により前記第一取付具および前記第二取付具を前記係合孔部を中心に回動し前端部を開いて取り外すようにした構成となっている。
【０００７】
また、前記第一取付具および前記第二取付具の一側に、前記係合孔に連なるスリットを形成した構成となっている。
【０００８】
また、前記第一取付具および前記第二取付具が、弾性を有する部材からなる構成となっている。
【０００９】
また、前記仮固定手段が、前記第一取付具または前記第二取付具の前端部に付設され、これら第一取付具および第二取付具よりも軟らかい部材で形成された仮固定片からなり、前記第一取付具および前記第二取付具を相互に仮固定する際、前記仮固定片を折り曲げて前記第二取付具または前記第一取付具の前端部を仮固定するようにした構成となっている。
【００１０】
また、前記固定手段が、前記第一取付具および前記第二取付具の前端部に設けられた貫通孔と、同貫通孔を貫通するボルトおよびこれに螺着するナットとからなる構成となっている。
【００１１】
また、前記回動手段が、前記第一取付具の後部に折曲形成された前記押圧片の後端部に付設された第一ウエイトと、前記第二取付具の前端部に付設された第二ウエイトとからなり、前記モータ取付台から前記ファンモータを取り外す際、前記固定手段を解放したのちに前記仮固定手段を解放することによって、前記第一ウエイトの質量により前記第一取付具を前記係合孔部を中心に自動的に回動すると同時に、前記第二ウエイトの質量により前記第二取付具を前記係合孔部を中心に自動的に回動するようにした構成となっている。
【００１２】
また、前記係合爪の近傍と前記係合孔の近傍とに、前記第一取付具および前記第二取付具が回動した際、これらの前端部が開いた位置で位置決めする位置決め手段を設けた構成となっている。
【００１３】
更に、前記位置決め手段が、前記係合爪の基端部に形成された平坦部と、同平坦部に対応する前記係合孔の周縁部とからなり、これら周縁部および平坦部を当接させて、前記第一取付具および前記第二取付具の前端部が開いた位置で位置決めするようにした構成となっている。
【００１４】
【発明の実施の形態】
以下、本発明における実施例を添付図面に基づいて説明する。
図１（Ａ）および図１（Ｂ）と、図２と、図３（Ａ）および図３（Ｂ）と、図４とにおいて、１は天井吊下げ型の空気調和機本体を構成するケーシング、1aは同ケーシング１内を熱交換器室と送風機室とに区画した仕切板、２は同ケーシング１に設けられた吸込口、３は吹出口、ａは前記吸込口２と前記吹出口３を結ぶ空気通路であって前記送風機室に設けられ、後述するファンモータの両側に配置されたファンケーシングｂ内に収容された送風ファン、４は前記熱交換器室に配置された熱交換器、５は前記送風ファンａを駆動するファンモータ、5aは同ファンモータ５の両側に設けられた緩衝部材、5bは同緩衝部材5aの外周部に形成された取付用の溝部、６は前記ファンモータ５を取り付けるモータ取付台である。
【００１５】
前記モータ取付台６は、前記ケーシング１および、または前記仕切板1aに、取付部6bにより取り付けられ、前記緩衝部材5aの一部を収容する略凹状の収容部6cを形成するとともに、同収容部6cの両側先端部に係合爪6aを設ける一方、前記収容部6cに一部を収容した前記緩衝部材5aを取り付けるための取付具は、第一取付具７および第二取付具８に二分割されて前記係合爪6aに係合する係合孔7aおよび8aを夫々備え、前記収容部6cから突出した前記緩衝部材5aに対応して帯状に形成され、前端部に、同前端部を開閉自在に固定するための後述する仮固定手段および取付手段を設け、後部に、前記緩衝部材5aを当接し押圧することにより前記係合孔7aおよび8aを中心に回動して前端部を開くようにした押圧片を折曲形成するとともに、前記ファンモータ５の挿脱時に後述する仮固定手段および取付手段を解放した際、前記係合孔7aおよび8a部を中心に回動して前端部を開くための後述する回動手段を設けてなり、
前記モータ取付台６に前記ファンモータ５を取り付ける際、同ファンモータ５を前端部が開いた前記第一取付具７および前記第二取付具８の間に挿入し、前記緩衝部材5aにより前記押圧片を押圧し前記係合孔7aおよび8a部を中心に回動して前端部を閉じ、該前端部を後述する仮固定手段で仮固定したのちに後述する固定手段で取り付けるようにし、
前記モータ取付台６から前記ファンモータ５を取り外す際、後述する固定手段を解放したのちに後述する仮固定手段を解放し、後述する回動手段により前記第一取付具７および前記第二取付具８を前記係合孔7aおよび8a部を中心に回動し前端部を開いて取り外すようにした構成となっており、
これによって、例えばメンテナンスの作業時に、前記ファンモータ５を取り外したり、または、取り付けたりする際、前記係合爪6aから前記係合孔7aおよび8aが離脱してしまうことがなくなって、前記ファンモータ５が落下してしまうという危険を防止できるようになり、また、前記ファンモータ５を仮固定できるので、ハンドフリーの状態で、固定するための作業を行うことができようにした構造となる。
【００１６】
また、前記第一取付具７および前記第二取付具８の一側に、図３（Ａ）で示すように、前記係合孔7aおよび8aに連なるスリット7a' および8a' を形成したことにより、前記係合爪6aに前記係合孔7aおよび8aを係合する際、より容易に係合できるようにした構成となっている。
【００１７】
また、前記第一取付具７および前記第二取付具８が、弾性を有する部材からなる構成としたことにより、後述する回動手段により前記係合孔7aおよび8a部を中心に回動した際、前端部を正確に開かせるようにして、前記ファンモータ５をより容易に取り外しできるようにした構造となる。
【００１８】
また、前記第一取付具７および前記第二取付具８を相互に仮固定する仮固定手段が、図３（Ａ）および図３（Ｂ）で示すように、前記第一取付具７または前記第二取付具８の前端部に付設され、これら第一取付具７および第二取付具８よりも軟らかい部材で形成された仮固定片10からなり、前記第一取付具７および前記第二取付具８を相互に仮固定する際、前記仮固定片10を折り曲げて前記第二取付具８または前記第一取付具７の前端部を仮固定するようにした構成となっており、
これによって、前記仮固定片10を簡便に折り曲げできて、前記第一取付具７および前記第二取付具８を相互に容易に仮固定できるようになり、また、仮固定を容易に解放できるようにした構造となる。
【００１９】
また、前記第一取付具７および前記第二取付具８を相互に固定する固定手段が、前記第一取付具７および前記第二取付具８の前端部に設けられた貫通孔と、同貫通孔を貫通するボルト11およびこれに螺着するナット12とからなる構成となっており、
これによって、前記第一取付具７および前記第二取付具８を相互に正確に固定できるようにした構造となる。
【００２０】
また、前記第一取付具７および前記第二取付具８を前記係合孔7aおよび8a部を中心に回動するための回動手段が、前記第一取付具７の後部に折曲形成された前記押圧片の後端部に付設された第一ウエイト９と、前記第二取付具８の前端部に付設された第二ウエイト9'とからなり、前記モータ取付台６から前記ファンモータ５を取り外す際、前記固定手段を解放したのちに前記仮固定手段を解放することによって、前記第一ウエイト９の質量により前記第一取付具７を前記係合孔7a部を中心に自動的に回動すると同時に、前記第二ウエイト9'の質量により前記第二取付具８を前記係合孔8a部を中心に自動的に回動するようにした構成となっており、
これによって、前記モータ取付台６から前記ファンモータ５を容易に取り外すことができるようにした構造となる。
【００２１】
また、前記係合爪6aの近傍と前記係合孔7aおよび8aの近傍とに、前記第一取付具７および前記第二取付具８が回動した際、これらの前端部が開いた位置で位置決めするための後述する位置決め手段を設けたことにより、取り外した前記ファンモータ５を再度取り付ける際、同ファンモータ５を容易に挿入して正確に取付できるようにした構造となる。
なお、前記第二取付具８の後部に折曲形成された押圧片は、図４で示すように折曲片8bが形成されて適宜強度をもたせた構成となっており、前記ファンモータ５を取り付ける際、同ファンモータ５の外周面を、前記折曲片8bを備えた前記押圧片に当接させることによって、前記係合孔8a部を中心に前記第二取付具８を正確に回動できるようにした構成となっている。
【００２２】
更に、前記第一取付具７および前記第二取付具８が回動し、これらを、その前端部が開いた位置で位置決めするようにした位置決め手段が、図４で示すＡ部のように、前記係合爪6aの基端部に形成された平坦部と、同平坦部に対応する前記係合孔7aおよび8aの周縁部とからなり、これら周縁部および平坦部を当接させて、前記第一取付具７および前記第二取付具８の前端部が開いた位置で位置決めするようにした構成となっており、
これによって、前記第一取付具７および前記第二取付具８の前端部が所定の間隔に開いた状態で正確に位置決めできるようになり、取り外した前記ファンモータ５を再度取り付ける際、同ファンモータ５を更に容易に挿入できて正確に取付できるようにした構造となる。
【００２３】
以上の構成により、図１（Ａ）および図１（Ｂ）と、図２と、図３（Ａ）および図３（Ｂ）と、図４とで示すように、前記モータ取付台６は、前記緩衝部材5aの一部を収容する略凹状の収容部6cを形成するとともに、同収容部6cの両側先端部に係合爪6aを設ける一方、前記収容部6cに一部を収容した前記緩衝部材5aを取り付けるための取付具は、第一取付具７および第二取付具８に二分割されて前記係合爪6aに係合する係合孔7aおよび8aを夫々備え、前記収容部6cから突出した前記緩衝部材5aに対応して帯状に形成され、前端部に、同前端部を開閉自在に固定するための前記仮固定手段および取付手段を設け、後部に、前記緩衝部材5aを当接し押圧することにより前記係合孔7aおよび8aを中心に回動して前端部を開くようにした押圧片を折曲形成するとともに、前記ファンモータ５の挿脱時に前記仮固定手段および取付手段を解放した際、前記係合孔7aおよび8a部を中心に回動して前端部を開くための前記回動手段を設けてなり、
前記モータ取付台６に前記ファンモータ５を取り付ける際、同ファンモータ５を前端部が開いた前記第一取付具７および前記第二取付具８の間に挿入し、前記緩衝部材5aにより前記押圧片を押圧し前記係合孔7aおよび8a部を中心に回動して前端部を閉じ、該前端部を後述する仮固定手段で仮固定したのちに後述する固定手段で取り付けるようにし、
前記モータ取付台６から前記ファンモータ５を取り外す際、後述する固定手段を解放したのちに後述する仮固定手段を解放し、後述する回動手段により前記第一取付具７および前記第二取付具８を前記係合孔7aおよび8a部を中心に回動し前端部を開いて取り外すようにした構成としたので、
例えばメンテナンスの作業時に、前記ファンモータ５を取り外したり、または、取り付けたりする際、前記係合爪6aから前記係合孔7aおよび8aが離脱してしまうことがなくなって、前記ファンモータ５が落下してしまうという危険を防止できるようになり、また、前記ファンモータ５を仮固定できるので、ハンドフリーの状態で、固定するための作業を円滑に行うことができようにした空気調和機となる。
【００２４】
【発明の効果】
以上のように本発明によれば、モータ取付台に取付具により取り付けられたファンモータを、容易に、且つ安全に取り外しまたは取り付けできるようにした天井吊下げ型の空気調和機となる。
【図面の簡単な説明】
【図１】本発明および従来例による天吊り型の空気調和機の断面図で、（Ａ）はファンモータおよび送風ファンを示し、（Ｂ）はモータ取付台を示す。
【図２】図１（Ｂ）の断面図に対応する要部拡大断面図である。
【図３】本発明による天吊り型の空気調和機の要部説明図で、（Ａ）はファンモータとモータ取付台および取付具の関係を示す分解斜視図であり、（Ｂ）は仮固定の状態を示す側面図である。
【図４】本発明による天吊り型の空気調和機の要部拡大図である。
【図５】従来例による空気調和機の要部分解斜視図である。
【符号の説明】
１  ケーシング
1a  仕切板
２  吸込口
３  吹出口
４  熱交換器
５  ファンモータ
5a  緩衝部材
5b  溝部
６  モータ取付台
6a  係合爪
6b  取付部
6c  収容部
７  第一取付具
7a  係合孔
7a'   スリット
８  第二取付具
8a  係合孔
8a'   スリット
8b  折曲片
９  第一ウエイト
9'  第二ウエイト
10  仮固定板
【図１】
0003728890.tif 000002
【図２】
0003728890.tif 000003
【図３】
0003728890.tif 000004
【図４】
0003728890.tif 000005
【図５】
0003728890.tif 000006